(57)【要約】【課題】  簡易構造物からペットが外へ出ないよう、又は、簡易構造物内に囲ったペットが室内へ入らないよう保護する簡易構造体及び柵を提供する。【解決手段】  簡易構造物と、柵とを備え、簡易構造物は、側面開口部と躯体側開口部を備え、柵は、吊元框と戸先框とを有し、伸縮自在であって、吊元框が、簡易構造物の側面開口部と躯体側開口部の角部に水平回動自在に取り付けてあり、柵によって側面開口部又は躯体側開口部を閉鎖する。【選択図】      図１
2018066202.tif 000002
【特許請求の範囲】
【請求項１】
簡易構造物と、柵とを備え、簡易構造物は、側面開口部と躯体側開口部を備え、柵は、吊元框と戸先框とを有し、伸縮自在であって、吊元框が、簡易構造物の側面開口部と躯体側開口部の角部に水平回動自在に取り付けてあり、柵によって側面開口部又は躯体側開口部を閉鎖することを特徴とする簡易構造体。
【請求項２】
簡易構造物の内側に取り付けられるものであって、吊元框と戸先框とを備え、伸縮自在なものであり、吊元框は、簡易構造物の側面開口部と躯体側開口部の角部に水平回動自在に取り付けてあり、側面開口部又は躯体側開口部を閉鎖することを特徴とする柵。
【発明の詳細な説明】
【技術分野】
【０００１】
本発明は、テラス囲いやサンルーム等の簡易構造物を備える簡易構造体及び簡易構造物に用いる柵に関する。
【背景技術】
【０００２】
テラス囲いやサンルーム等の簡易構造物内に入れた犬等のペットが、簡易構造物の開口部を開口したときにその外へ出て行かないようにするとともに、簡易構造物内に囲ったペットが室内に入って来ないよう保護する簡易構造体及び柵が求められていた。
【発明の概要】
【発明が解決しようとする課題】
【０００３】
本発明は上記実情に鑑み、簡易構造物からペットが外へ出ないよう、又は、簡易構造物内に囲ったペットが室内に入らないよう保護する簡易構造体及び柵を提供することを目的とする。
【課題を解決するための手段】
【０００４】
本発明のうち請求項１に記載の発明は、簡易構造物と、柵とを備え、簡易構造物は、側面開口部と躯体側開口部を備え、柵は、吊元框と戸先框とを有し、伸縮自在であって、吊元框が、簡易構造物の側面開口部と躯体側開口部の角部に水平回動自在に取り付けてあり、柵によって側面開口部又は躯体側開口部を閉鎖することを特徴とする。
【０００５】
本発明のうち請求項２に記載の発明は、簡易構造物の内側に取り付けられるものであって、吊元框と戸先框とを備え、伸縮自在なものであり、吊元框は、簡易構造物の側面開口部と躯体側開口部の角部に水平回動自在に取り付けてあり、側面開口部又は躯体側開口部を閉鎖することを特徴とする。
【０００６】
なお、本発明において、「閉鎖」とは犬等のペットが出入りできないほどに開口部を塞ぐことである。また柵は、所定の安全基準を満足することによって、犬等のペットに限らず、子供の出入りを制限する安全柵に発展させることが可能なものである。
【発明の効果】
【０００７】
本発明によれば、柵は、吊元框が、簡易構造物の側面開口部と躯体側開口部の角部に水平回動自在に取り付けてあるため、柵は側面開口部又は躯体側開口部を閉鎖することができる。柵によって側面開口部を閉鎖した場合は、簡易構造物内のペットが外へ出て行かないようにすることができる。また、柵によって躯体側開口部を閉鎖した場合は、ペットを簡易構造物内に囲って保護し、室内へ入らないようにすることができる。さらに柵は伸縮自在であるため、人が出入りする時や、柵を使用しない時には縮めて邪魔にならない方向へ回動させておくことができる。
【図面の簡単な説明】
【０００８】
【図１】第一実施形態の側面開口部を閉鎖した状態を示す平面図である。
【図２】第一実施形態の側面開口部を閉鎖した状態を示す側面図である。
【図３】第一実施形態の躯体側開口部を閉鎖した状態を示す平面図である。
【図４】躯体側開口部を柵で閉鎖した状態を示す正面図である。
【図５】横断面図の一部であり、第一実施形態の柵の取付部分を示す。
【図６】第一実施形態の側面開口部を閉鎖した状態において戸先框の係止部分を示す斜視図である。
【図７】横断面図の一部であり、柵を躯体側開口部で召し合わせた状態を示す。
【図８】第一実施形態の柵の回動を示す平面図である。
【図９】第二実施形態の前面部及び側面開口部を閉鎖した状態を示す平面図である。
【図１０】第二実施形態の一部であり、側面開口部を閉鎖した状態を示す側面図である。
【図１１】第二実施形態の前面部及び躯体側開口部を閉鎖した状態を示す平面図である。
【図１２】横断面図の一部であり、第二実施形態の柵の取付部分を示す。
【図１３】横断面図の一部であり、第二実施形態の柵を躯体側開口部及び前面部において召し合わせた状態を示す。
【図１４】第二実施形態の柵の回動を示す平面図である。
【発明を実施するための形態】
【０００９】
以下、本発明の実施の形態を図面に基づいて説明する。なお、以下において、前後とは、図１における正面側及び躯体側を示し、左右とは、図１における左右を示す。
【００１０】
図１乃至図３に示すように、この簡易構造体の第一実施形態は、建物（躯体）に隣接して設けたテラス囲いやサンルーム等の簡易構造物１と、左右１対の柵２，２とからなるものである。簡易構造物１は、建物の開口部Ｘから所定の間隔をあけて設けた前面部１２と、前面部１２の左右両側に備える支柱１１，１１と、一端を前面部１２の上端側に、他端を建物開口部Ｘの上部にそれぞれ接続して設けられる屋根１６と、建物と支柱１１と屋根１６に囲まれた左右の側面部１３，１３と、屋根１６と左右の側面部１３，１３に囲まれた建物開口部Ｘに隣接する躯体側開口部１０とから構成してあり、側面部１３はさらに、側面開口部１４と躯体側側面部１５とから構成してある。なお、図２は、簡易構造体の縦断面を簡易構造物１の屋内側から屋外側へ向かって側面視した図であり、後述する網戸１７を省略して示す。
この簡易構造体の第一実施形態において簡易構造物１は、躯体側開口部１０と、左右の側面開口部１４，１４において人の出入りが可能なものであり、前面部１２と躯体側側面部１５には、例えばガラスパネル等が嵌め込まれている。側面開口部１４には、例えば折り畳み戸等の障子１８が開閉自在に設けてあり、障子１８の屋内側には開閉自在に設けた網戸１７を備え、網戸１７より屋内側には、柵２が設けてある。以下において「角部」とは、側面開口部１４の躯体側と建物開口部Ｘの側面側に囲まれた空間を言い、例えば図１において破線で囲まれた角部８を示す。
【００１１】
左右に設けた柵２，２は夫々吊元框２０，２０と戸先框２２，２２を備える。図２に示すように、吊元框２０と戸先框２２の間は複数のリンク６をパンタグラフ状に連結してあるため、柵２，２は伸縮自在である。リンク６の下部にはキャスター７が設けてある。柵２の高さは、犬等のペットが乗り越えることのできない程の高さであれば特に限定されず、所定の安全基準を満たせば、犬等のペットに限らず子供の出入りを制限する安全柵に発展させることも可能である。柵２は、夫々簡易構造物１の側面開口部１４と躯体側開口部１０の角部８に取り付けてあるため、図１及び図２に示すように、柵２を側面開口部１４に平行に位置させて広げることにより側面開口部１４，１４を閉鎖することができる。また、柵２は水平回動自在であり、側面開口部１４の躯体側には躯体側側面部１５が設けてある。躯体側側面部１５によって建物と柵２との間に空間を確保できるため、柵２は取付方法に依らず回動させることが可能である。二つの柵２，２を回動させ躯体側開口部１０に平行に位置させて召し合わせることによって、図３及び図４に示すように躯体側開口部１０を閉鎖することもできる。
【００１２】
次に、簡易構造物１における柵２の取付部分について説明する。なお、左右の側面開口部１４，１４において、柵２，２は左右対称に取り付けられており、取付部分の構成は略同一であるため、一方の側面開口部１４についてのみ説明し、他方は省略する。
図２、図５及び図６に示すように、側面開口部１４の前後両端には、柵２を取付け又は係止するための取付材５０を備える。取付材５０は、上下方向に長い矩形筒状のものであり、一側面から偏平状の取付片５０ａが突出している。詳しくは、網戸１７の前後両端部において、取付片５０ａが、網戸１７の枠材の一部である網戸縦枠１７ａと、網戸１７の外周を囲むサッシ枠の一部である網戸取付材１９の間に屋内側から挿入されており、網戸縦枠１７ａの内周側からネジ止めされることによって、網戸１７よりも屋内側に二つの取付材５０，５０を前後対称に備える。柵２は側面開口部１４に直接取り付けてあるのではなく、この取付材５０を介して取り付けてあるため、柵２を簡易構造物１から取り外す場合も、取付材５０を取り外せば外観からはネジ穴が見えず、意匠性が良い。
【００１３】
そして、図２に示すように、前後二箇所の取付材５０，５０のうち、躯体側の取付材５０には、柵２の吊元框２０を水平回動自在に取付けるための取付ヒンジ５１が上下方向に二つ取り付けてあり、正面側の取付材５０には、戸先框２２を係止するための係止ヒンジ５２が一つ取り付けてある。詳しくは、図５及び図６に示すように、取付ヒンジ５１と係止ヒンジ５２は、取付材５０の取付片５０ａを備える面に対向する側面に、屋内側からネジ止めされる取付部５１ｂ，５２ｂを夫々有し、取付部５１ｂ，５２ｂから屈折して屋内側に延出した端部に円筒状の部材を備える同一形状の部材である。二つの取付ヒンジ５１は、柵２の吊元框２０の上下方向に設けた二つの吊元ヒンジ２１と、回動軸５によって連結してある。係止ヒンジ５２は、柵２を側面開口部１４に平行に位置させて側面開口部１４を閉鎖した際に施解錠するため、バネで付勢されたラッチボルトが内蔵してある。
【００１４】
次に、柵２における簡易構造物１との取付部分について説明する。柵２の吊元框２０と戸先框２２には、夫々吊元ヒンジ２１と戸先ヒンジ２３が備えてある。図５及び図６に示すように、吊元ヒンジ２１と戸先ヒンジ２３は、吊元框２０又は戸先框２２に固定される框取付部２５と框取付部２５の両端に円筒状の部材を備える同一形状のものである。左右の柵２，２において、吊元框２０，２０の構成は同一であり、簡易構造部１に左右対称に取り付けてあるため、一方の柵２について説明し、他方の説明を省略する。吊元框２０は、上下方向に二つの吊元ヒンジ２１を備える。二つの吊元ヒンジ２１は、図１及び図５に示すように、柵２を側面開口部１４に平行に位置させて側面開口部１４を閉鎖した際に、網戸１７に近接する側の円筒状部材において簡易構造物１側に取り付けられた上下二つの取付ヒンジ５１と夫々回動軸５によって連結してあるため、柵２は回動自在となる。
【００１５】
右側の柵２において、戸先框２２に備える戸先ヒンジ２３は、図６に示すように、一方の円筒状部材がラッチ受け２３ａである。詳しくは、図１及び図５に示すように、柵２を側面開口部１４に平行に開いて側面開口部１４を閉鎖した際に網戸１７に近接する側の円筒状部材がラッチ受け２３ａであり、ラッチ受け２３ａは、簡易構造物１側に設けられた係止ヒンジ５２に内蔵されたラッチボルトにより施解錠される。そして、戸先ヒンジ２３の他方の円筒状部材にはラッチボルトが内蔵されており、図３，図４及び図７に示すように、左右の柵２，２の戸先框２２，２２を躯体側開口部１０において召し合わせた際は、左側の柵２のラッチ受け２３ｄが右側の柵２のラッチボルトによって施解錠可能となる。
【００１６】
左側の柵２において、戸先框２２に備える戸先ヒンジ２３は、二つの円筒状部材のいずれもラッチ受け２３ｄ，２３ｄであるため、右側の柵２における戸先框２２の戸先ヒンジ２３とは、構成の一部が異なるものである。一方のラッチ受け２３ｄは、図１及び図５に示すように、柵２を側面開口部１４に平行に開いて側面開口部１４を閉鎖した際、右側の柵２と同様に簡易構造物１側に係止される。他方のラッチ受け２３ｄは、図３及び図７に示すように、左右の柵２，２の戸先框２２，２２を躯体側開口部１０において召し合わせた際に、右側の柵２に備えるラッチボルトによって施解錠される。
【００１７】
次に、このように構成した第一実施形態の簡易構造体の使用方法と作用効果を説明する。
図１、図２、図５及び図６に示すように、柵２，２は、吊元框２０，２０が簡易構造物１の側面開口部１４と躯体側開口部１０の角部８に取り付けてあるため、側面開口部１４，１４に平行に位置させて広げ、夫々戸先框２２のラッチ受け２３ａを簡易構造物１側に設けた係止ヒンジ５２のラッチボルトによって係止することにより、側面開口部１４を閉鎖することができる。側面開口部１４，１４を柵２，２で閉鎖すれば、障子１８や網戸１７を開放しても、ペットが屋外へ出てしまうおそれがない。また、網戸１７を閉めた状態であっても、網戸１７より内側に柵２があるので、ペットが網戸１７を破いてしまうおそれがない。
さらに、柵２，２は、簡易構造物１に水平回動自在に取り付けてあり、側面開口部１４の躯体側には躯体側側面部１５が設けてある。躯体側側面部１５によって建物と柵２との間に空間を確保できるため、柵２は取付方法に依らず回動させることが可能である。柵２，２を躯体側開口部１０に平行に位置するよう回動させると、図３、図４及び図７に示すように召し合わせることができる。このとき、一方の柵２のラッチ受け２３ｄに他方の柵２のラッチボルトを係止させることにより、施錠することができるので、ペットを簡易構造物１内に囲って保護する際には、躯体側開口部１０を柵２，２で閉鎖して、建物開口部Ｘを開放してもペットが建物の室内へ入らないようにすることができる。
そして図８に示すように、柵２は伸縮自在であるため、使用しない時には縮めて邪魔にならない方向へ向けておくことができる。
【００１８】
続いて、第二実施形態について説明する。第二実施形態も、第一実施形態と同様の簡易構造体に関するものであるが、簡易構造物１において、躯体側開口部１０、側面開口部１４，１４、及び前面部１２において人の出入りが可能であり、また、二対の柵３，３，４，４を備える点で、第一実施形態と異なる構成とするものである。
簡易構造物１は、図９及び図１１に示すように、側面開口部１４，１４及び前面部１２において、例えば折り畳み戸等の障子１８が開閉自在に設けてあり、障子１８の屋内側には開閉自在に設けた網戸１７を備え、網戸１７より屋内側に伸縮自在な二対の柵３，３，４，４が設けてある。このうち一方の一対の柵３，３の取付部分は、第一実施形態と同様の構成であり、吊元框３０，３０が夫々簡易構造物１の側面開口部１４と躯体側開口部１０の角部８に水平回動自在に取り付けてあるため、図９及び図１０に示すように側面開口部１４に平行に位置させて広げることにより側面開口部１４，１４を閉鎖し、又は、図１１に示すように、躯体側開口部１０に平行に位置させて戸先框３２，３２を召し合わせることによって躯体側開口部１０を閉鎖する。他方の一対の柵４，４は、図１２に示すように吊元框４０，４０が夫々簡易構造物１の側面開口部１４の正面側端部に取り付けてあり、前面部１２と平行方向に広げて戸先框４２，４２を召し合わせることによって前面部１２を閉鎖する。
【００１９】
次に、簡易構造物１における柵３，３，４，４の取付部分について説明する。なお、第二実施形態において柵３，３，４，４の取付けに用いられる部品や部材は第一実施形態において柵２，２を取付けるために用いられるものと同一形状であるが、一部の機能を異にするものである。簡易構造物１に対して、柵３，３及び４，４は夫々左右対称に取り付けられており、取付部分の構成は略同一であるため、主に一方の側面開口部１４について説明する。
図１０及び図１２に示すように、側面開口部１４には、網戸１７の躯体側と正面側の両端部において、第一実施形態と同様に、二つの取付材５０，５０が取り付けてある。前後二箇所の取付材５０，５０のうち躯体側の取付材５０には、柵３の吊元框３０を取付けるための取付ヒンジ５１が上下方向に二つ取り付けてあり、正面側の取付材５０には、柵４の吊元框４０を固定するための固定ヒンジ５３が上下方向に二つ取り付けてある。取付ヒンジ５１は、第一実施形態と同様の構成であり、柵３の吊元框３０の上下方向に設けた二つの吊元ヒンジ３１と、夫々回動軸５によって連結してある。固定ヒンジ５３は取付ヒンジ５１と同一形状のものである。二つの固定ヒンジ５３は、柵４の吊元框４０の上下方向に設けた二つの吊元ヒンジ４１と、回動軸５によって固定してある。
【００２０】
次に、柵３及び４の簡易構造物１との取付部分について説明する。
柵４，４の吊元框４０及び戸先框４２は夫々吊元ヒンジ４１と戸先ヒンジ４３を備える。図１２に示すように、吊元ヒンジ４１は一方の円筒状部材にラッチボルトを備え、他方の円筒状部材が固定ヒンジ５３に固定されて、吊元ヒンジ４１は側面開口部１４に平行に取り付けてある。柵４の吊元ヒンジ４１のラッチボルトは柵３の戸先ヒンジ３３のラッチ受け３３ａを係止する。また、柵４，４において、一方の戸先框４２の戸先ヒンジ４３は、躯体側にラッチボルトを備え、他方の戸先框４２の戸先ヒンジ４３は、躯体側にラッチ受け４３ｂを備える。図１３に示すように、柵４，４を前面部１２で召し合わせた際に、一方の戸先ヒンジ４３のラッチボルトに他方の戸先ヒンジ４３のラッチ受け４３ｂが係止される。
柵３，３は夫々吊元框３０と戸先框３２を備える。吊元框３０及び戸先框３２の構成は、第一実施形態における柵２，２の吊元框２０及び戸先框２２と夫々略同一の構成であるが、柵３，３は、図９及び図１２に示すように、側面開口部１４，１４を閉鎖する際に戸先框３２，３２が係止される対象が第一実施形態とは異なるものである。言い換えれば、吊元框３０に備える吊元ヒンジ３１は簡易構造物１側の取付ヒンジ５１と回動軸５によって連結してあり、右側の柵３の戸先ヒンジ３３は、ラッチ受け３３ａとラッチボルトを備え、左側の柵３の戸先ヒンジ３３は、二つのラッチ受け３３ｄを備え、図１３に示すように柵３，３を躯体側開口部１０において召し合わせる際には左側の戸先ヒンジ３３のラッチ受け３３ｄと右側の戸先ヒンジ３３のラッチボルトにおいて係止する点で、第一実施形態の柵２と同一の構成である。しかし、柵３によって側面開口部１４を閉鎖する際、戸先ヒンジ３３，３３のラッチ受け３３ａ，３３ｄは簡易構造物１側に設けられた取付部材に係止されるのではなく、前面部１２を閉鎖する柵４の吊元框４０に係止される点で第一実施形態の構成とは異なる。詳しくは、図１２に示すように、柵３を側面開口部１４に平行に位置させて側面開口部１４を閉鎖した際に、側面開口部１４側に位置する戸先ヒンジ３３のラッチ受け３３ａは、柵４の吊元ヒンジ４１に備えるラッチボルトに係止される。なお、左側の柵４の戸先ヒンジ３３も同様の構成である。
【００２１】
次に、このように構成した第二実施形態の簡易構造体の使用方法と作用効果を説明する。
図９、図１０及び図１２に示すように柵３，３は、吊元框３０，３０が簡易構造物１の側面開口部１４と躯体側開口部１０の角部８に取り付けてあるため側面開口部１４，１４に平行に位置させて広げ、夫々戸先框３２のラッチ受け３３ａを柵４の吊元ヒンジ４１のラッチボルトによって係止し、さらに、柵４，４の戸先框４２，４２を召し合わせ、一方の柵４のラッチ受け４３ｂを他方の柵４のラッチボルトによって係止することにより、側面開口部１４，１４及び前面部１２を閉鎖することができる。この状態において、側面開口部１４，１４及び前面部１２の障子１８や網戸１７を開放しても、ペットが屋外へ出てしまうおそれがない。
さらに、柵３，３は、簡易構造物１に水平回動自在に取り付けてあり、側面開口部１４の躯体側には躯体側側面部１５が設けてあるため、図１１及び図１３に示すように柵３，３を躯体側開口部１０に平行に位置するよう回動させることが可能であり、左側の柵３の躯体側に位置するラッチ受け３３ｄに右側の柵３のラッチボルトを係止させ、さらに柵４，４の戸先框４２，４２を召し合わせ、一方の柵４のラッチ受け４３ｂを他方の柵４のラッチボルトによって係止することにより、躯体側開口部１０及び前面部１２を閉鎖することができるので、建物開口部Ｘと前面部１２の障子１８や網戸１７を開放した状態で、ペットを簡易構造物１内に囲っておくことができる。
図１４は柵３，３，４，４を縮めた状態を示している。柵３，３，４，４は伸縮自在であるため、使用しない時には縮めておくことが可能であり、さらに柵３は水平回動自在であるため邪魔にならない方向へ向けておくことができる。
【００２２】
本発明は、上記の実施形態に限定されない。たとえば、躯体側側面部は必ずしも設ける必要はない。躯体側側面部を設けない場合は、柵が回動する空間を確保するために回動軸を躯体側開口部から離れた位置に設けることが必要である。本発明が適用される簡易構造物に備える障子や網戸は特に限定されるものではなく、また、必ずしも網戸を備えるものでなくてもよい。柵の数量は限定しない。そして、必ずしも対になっている必要はなく、例えば柵を一つ備えるものであってもよい。また、柵はキャスターを有するものではなく、ハンガータイプのものであってもよい。
【符号の説明】
【００２３】
１  簡易構造物
２  柵（第一実施形態）
３  柵（第二実施形態）
４  柵（第二実施形態）
８  角部
１０  躯体側開口部
１３  側面部
１４  側面開口部
１５  躯体側側面部
２０  吊元框（第一実施形態）
２２  戸先框（第一実施形態）
３０，４０  吊元框（第二実施形態）
３２，４２  戸先框（第二実施形態）
【図１】
2018066202.tif 000003
【図２】
2018066202.tif 000004
【図３】
2018066202.tif 000005
【図４】
2018066202.tif 000006
【図５】
2018066202.tif 000007
【図６】
2018066202.tif 000008
【図７】
2018066202.tif 000009
【図８】
2018066202.tif 000010
【図９】
2018066202.tif 000011
【図１０】
2018066202.tif 000012
【図１１】
2018066202.tif 000013
【図１２】
2018066202.tif 000014
【図１３】
2018066202.tif 000015
【図１４】
2018066202.tif 000016